(57)【特許請求の範囲】
【請求項１】
表示領域の周囲の額縁部分に設けられた複数個のトランスファ電極と前記複数のトランスファ電極にそれぞれ別個に接続された複数のコモン配線とを備えた第１基板と、前記第１基板の複数のトランスファ電極と電気的に接続される共通電極が形成された第２基板とを有する液晶表示パネルを備えた液晶表示装置において、通常動作モード時には前記複数のコモン配線に共通のＶＣＯＭ信号を出力し、自己診断モード時には、前記複数のコモン配線のうちの一つに所定の診断用ＶＣＯＭ信号を出力するとともに、他の少なくとも一つのコモン配線に現れた信号を検知し、前記診断用ＶＣＯＭ信号と前記コモン配線に現れた信号とを比較することにより両コモン配線間の接続抵抗の大小を判別する自己診断手段を備えたことを特徴とする液晶表示装置。
【請求項２】
前記自己診断手段は、前記液晶表示パネルに接続されるプリント基板に設けられていることを特徴とする請求項１に記載の液晶表示装置。
【請求項３】
前記自己診断手段は、前記額縁部分に載置されているドライバＩＣ内に内蔵されていることを特徴とする請求項１に記載の液晶表示装置。
【請求項４】
前記ドライバＩＣは、両端にそれぞれ前記複数のコモン配線と接続される一対のＶＣＯＭ信号出力端子を備え、通常動作モード時には前記一対のＶＣＯＭ信号出力端子に共通のＶＣＯＭ信号を出力し、自己診断モード時には前記ＶＣＯＭ信号出力端子の一方に前記診断用ＶＣＯＭ信号を出力し、前記ＶＣＯＭ信号出力端子の他方に前記他の少なくとも一つのコモン配線に現れた信号が入力されることを特徴とする請求項３に記載の液晶表示装置。
【請求項５】
前記自己診断手段は、予め入力された前記両コモン配線間の接続抵抗の閾値の記憶手段と、前記診断結果を記憶する記憶手段とを備えていることを特徴とする請求項１〜４のいずれかに記載の液晶表示装置。
【発明の詳細な説明】
【技術分野】
【０００１】
本発明は自己診断機能を備えた液晶表示装置に関し、特に対向電極に印加される診断用ＶＣＯＭ信号を利用した自己診断モードを備えた液晶表示装置に関する。
【背景技術】
【０００２】
液晶表示パネルは、電極等が形成された２枚の透明基板を対向させ、その透明基板の周辺をシール材で固着し、この透明基板とシール材によって形成される空間に液晶を封入した構成を有している。例えばアクティブマトリクス型液晶表示パネルの場合、一方の基板上に信号線と走査線をマトリクス状に配置し、その交差部に薄膜トランジスタを形成し、信号線と走査線で囲まれる領域内に薄膜トランジスタと接続する画素電極を形成している。この画素電極が形成された部分が表示領域となる。また、他方の基板には、画素電極と対向する位置にＲ、Ｇ、Ｂのいずれかのフィルタ層を配置し、各フィルタ層間にブラックマトリクスを設け、このフィルタ層及びブラックマトリクスを透明電極からなる対向電極によって覆っている。
【０００３】
そして、例えば携帯電話機用の小型の液晶表示パネルの場合、一方の基板の表示領域の周囲に設けられた額縁部の一端部にドライバＩＣが載置され、このドライバＩＣの中で生成された対向電極に印加されるＶＣＯＭ信号がコモンラインに出力される。なお、中、大型の液晶表示パネルの場合、ＶＣＯＭ信号はプリント基板上の対向電極駆動回路部で生成され、フレキシブル配線基板を経てコモンラインと接続されている。
【０００４】
また、一方の基板にはドライバＩＣとコモンラインを介して接続されるトランスファ電極が設けられ、このトランスファ電極は他方の基板の対向電極と導電性部材を介して電気的に接続されており、ドライバＩＣからコモンライン及びトランスファ電極を介して対向電極に所定のＶＣＯＭ信号が供給されている。
【０００５】
基板上には、例えば光硬化性樹脂又は熱硬化性樹脂を主成分としたシール材を所定パターンに塗布し、２枚の基板を貼り合わせている。そして、下記特許文献１〜３には、トランスファ電極のコンタクト材として前記シール材として使用されている樹脂に粒状導電体を混在させたものを用い、この粒状導電体によって対向電極とトランスファ電極とを電気的に接続したものが開示されている。
【０００６】
このような液晶表示パネルの一具体例を図３〜図５を用いて説明する。図３は携帯電話機用の小型の液晶表示装置の第１基板側を模式的に示す平面図、図４はシール材やコンタクト材の配置を模式的に示す断面図、図５はトランスファ電極と対向電極の接続状態を模式的に示す要部拡大図である。
【０００７】
液晶表示装置１０Ａの透明基板からなる第１基板１１は、表示領域１２に走査線及び信号線がマトリクス状に形成されており、走査線と信号線で囲まれる部分に画素電極が形成され、走査線と信号線の交差部に画素電極と接続されたスイッチング素子としての薄膜トランジスタが形成されている。これら各配線や薄膜トランジスタ、画素電極の具体的な構成は図示しないが、図４ではこれらを模式的に第１構造物１３として示してある。
【０００８】
第１基板１１の短辺部には液晶表示装置１０Ａを駆動するための画像供給装置（図示せず）と接続するためのフレキシブル配線基板１４がＡＣＦ（Anisotropic Conductive Film：異方性導電膜）圧着法により設けられ、このフレキシブル配線基板１４は画像供給装置からのデータ線及び制御線をドライバＩＣ１５に接続している。なお、中型ないし大型の液晶表示パネルの場合、携帯電話機用ドライバＩＣに搭載されている機能の多くはプリント基板に搭載され、特にＶＣＯＭ信号は対向電極駆動回路部で生成され、ドライバＩＣを搭載したフレキシブル配線基板を通してコモンラインと接続されている。
【０００９】
第１基板１１の四隅には複数のトランスファ電極１７１〜１７４が設けられている。このトランスファ電極１７１〜１７４は走査線等を形成する工程と同一工程で形成され、走査線と同じ素材で構成されている。このトランスファ電極１７１〜１７４はコモンライン１６Ｃを介して互いに直接接続ないしはドライバＩＣ１５内で互いに接続されて同電位となるようになっている。そして、トランスファ電極１７１〜１７４は後述する対向電極１８と電気的に接続され、ドライバＩＣ１５から出力される所定の電圧ＶＣＯＭが対向電極１８に印加されるようになっている。なお、ゲートライン１６Ｇ及びソースライン１６Ｓの配置を逆にする場合もある。また、ドライバＩＣ１５は、短辺部のみに配置されるのではなく、長辺部に配置される場合もある。
【００１０】
また、透明基板からなる第２基板１９には、カラーフィルタと、ブラックマトリクスが形成されている。カラーフィルタは第１基板１１の画素電極と対向するように配置されると共に各画素に応じたフィルタ層が設けられ、ブラックマトリクスは少なくとも第１基板１１の走査線や信号線に対応する位置に配置されている。これらカラーフィルタ等の具体的な構成は図示しないが、図４ではこれらを模式的に第２構造物２０として示してある。
【００１１】
第２基板１９には更に酸化インジウム、酸化スズ等で構成された透明電極からなる対向電極１８が少なくとも表示領域１２の全域に亘って形成されている。
【００１２】
シール材２１は、第１基板１１の表示領域１２の周囲を注入口（図示せず）を除いて塗布されており、また、コンタクト材１７がトランスファ電極１７１〜１７４上に塗布されている。このシール材２１は、図５に示したように、例えばエポキシ樹脂等の熱硬化性樹脂２３に絶縁性粒体のフィラ２４を混入したものであり、コンタクト材１７はシール材と同様の樹脂に粒状の導電体２５を混入したものである。
【００１３】
コンタクト材１７に混入される粒状の導電体２５は、例えば、球体の樹脂粒子の全面にＡｕ等の柔軟な導電性金属をメッキしたものを使用でき、粒径は液晶表示パネルのセルギャップよりも若干大きい約６μｍとする。そうすれば両基板１１、１９を貼り合わせたときに粒状の導電体２５とトランスファ電極１７１〜１７４及び対向電極１８の間に隙間ができることがなく、粒状の導電体２５は確実にトランスファ電極１７１〜１７４及び対向電極１８と接触する。
【００１４】
フィラ２４は、塗布した際の型崩れを防止するためにシール材２１やコンタクト材１７に混入され、アルミナ若しくはシリカを粒径が約１μｍの粒状にしたものである。
【００１５】
両基板１１、１９を貼り合わせるときは以下の手順で行なわれる。まず、第１基板１１を第１のディスペンサ装置にセットしてシール材２１を所定パターンで塗布し、次に第１基板１１を第２のディスペンサ装置にセットしてコンタクト材１７をトランスファ電極１７１〜１７４上に塗布する。その後、第１基板１１の表示領域１２にスペーサ２７を均一に散布し、第２基板１９のシール材２１やコンタクト材１７が当接する部分に仮止め用接着剤を塗布する。その後、第１基板１１と第２基板１９を貼り合わせ、仮止め用接着剤を硬化させて仮止めが完了する。そして仮止めされた両基板１１、１９を加圧しながら加熱処理するとシール材２１、コンタクト材１７の熱硬化性樹脂が硬化し、空の液晶表示パネルが完成する。この空の液晶表示パネル内に注入口（図示せず）から液晶２８を注入し、この注入口を封止剤で塞ぐと液晶表示装置１０Ａが完成する。
【特許文献１】特開２００２−０９０７７０号公報（特許請求の範囲、段落［０００２］〜［０００４］、［００１６］〜［００２７］、図１〜図３）
【特許文献２】特開平  ８−１７９３４８号公報（特許請求の範囲、図１及び図２）
【特許文献３】特開平１０−１８６３９５号公報（特許請求の範囲、図１）
【発明の開示】
【発明が解決しようとする課題】
【００１６】
このような携帯型の液晶表示パネルの場合、ＶＣＯＭ信号はドライバＩＣ１５からＡＣＦ圧着部、コモンライン１６Ｃ、トランスファ電極１７１〜１７４を介して対向電極１８に与えられ、また、中型ないし大型の液晶表示パネルの場合、ＶＣＯＭ信号は外部回路基板からフレキシブル配線基板を経て、ＡＣＦ圧着部、コモンライン１６Ｃ、トランスファ電極１７１〜１７４を介して対向電極１８に与えられる。
【００１７】
ライン反転駆動方式ないしフレーム反転駆動方式のＶＣＯＭ信号は、通常矩形波が用いられている。これはＶＣＯＭ信号の低電圧化によるコストダウンを目的とするためである。上述のように、ＶＣＯＭ信号は、ＡＣＦ圧着部、コモンライン１６Ｃ、トランスファ電極１７１〜１７４を介して対向電極１８に与えられるが、これらのＡＣＦ圧着部、コモンライン１６Ｃ、トランスファ電極１７１〜１７４における抵抗が大きいと、対向電極１８に与えられるＶＣＯＭ信号は波形が鈍ってしまう。このＶＣＯＭ信号の波形が鈍ると、クロストーク等の不都合が発生する。
【００１８】
このため、従来の液晶表示パネルでは、コモンライン１６Ｃと対向電極１８との間の接続抵抗を極力下げるため、トランスファ電極を複数箇所（例えば４箇所）配置している。しかしながら、トランスファ電極等の構造上の問題等により、液晶表示パネルを量産していくと満足な抵抗値にならない液晶表示装置が得られる場合もできてくる。
【００１９】
そこで、本願発明は、このような従来技術の問題点に対処するために、簡単な構成及び操作でＡＣＦ圧着部の抵抗、ＶＣＯＭ配線抵抗、トランスファ電極等による接続抵抗が大きい液晶表示装置を判別できる自己診断モードを備えた液晶表示装置を提供することを目的とする。
【課題を解決するための手段】
【００２０】
本発明の上記目的は以下の構成により達成し得る。すなわち、請求項１の液晶表示装置の発明は、表示領域の周囲の額縁部分に設けられた複数個のトランスファ電極と前記複数のトランスファ電極にそれぞれ別個に接続された複数のコモン配線とを備えた第１基板と、前記第１基板の複数のトランスファ電極と電気的に接続される共通電極が形成された第２基板とを有する液晶表示パネルを備えた液晶表示装置において、通常動作モード時には前記複数のコモン配線に共通のＶＣＯＭ信号を出力し、自己診断モード時には、前記複数のコモン配線のうちの一つに所定の診断用ＶＣＯＭ信号を出力するとともに、他の少なくとも一つのコモン配線に現れた信号を検知し、前記診断用ＶＣＯＭ信号と前記コモン配線に現れた信号とを比較することにより両コモン配線間の接続抵抗の大小を判別する自己診断手段を備えたことを特徴とする。
【００２１】
また、請求項２の発明は、請求項１に記載の液晶表示装置において、前記自己診断手段は、前記液晶表示パネルに接続されるプリント基板に設けられていることを特徴とする。
【００２２】
また、請求項３の発明は、請求項１に記載の液晶表示装置において、前記自己診断手段は、前記額縁部分に載置されているドライバＩＣ内に内蔵されていることを特徴とする。
【００２３】
また、請求項４の発明は、請求項３に記載の液晶表示装置において、前記ドライバＩＣは、両端にそれぞれ前記複数のコモン配線と接続される一対のＶＣＯＭ信号出力端子を備え、通常動作モード時には前記一対のＶＣＯＭ信号出力端子に共通のＶＣＯＭ信号を出力し、自己診断モード時には前記ＶＣＯＭ信号出力端子の一方に前記診断用ＶＣＯＭ信号を出力し、前記ＶＣＯＭ信号出力端子の他方に前記他の少なくとも一つのコモン配線に現れた信号が入力されることを特徴とする。
【００２４】
さらに、請求項５の発明は、請求項１〜４のいずれかに記載の液晶表示装置において、前記自己診断手段は、予め入力された前記両コモン配線間の接続抵抗の閾値の記憶手段と、前記診断結果を記憶する記憶手段とを備えていることを特徴とする。
【発明の効果】
【００２５】
本発明は上記のような構成を備えることにより以下に述べるような優れた効果を奏する。すなわち、請求項１の発明によれば、自己診断モード時には、複数のコモン配線のうちの一つに印加された所定の診断用ＶＣＯＭ信号は、このコモン配線からトランスファ電極、共通電極、他のトランスファ電極及び他のコモン配線へと順次伝送されるから、この伝送路の途中に抵抗が大きい箇所が存在すると診断用ＶＣＯＭ信号は波形が鈍るため、他の少なくとも一つのコモン配線に現れた信号を検知することにより伝送路の途中に抵抗が大きい箇所が存在しているか否かを検知することができる。それによって簡単にＶＣＯＭ配線抵抗、トランスファ電極等による接続抵抗が大きい液晶表示装置を判別することができるようになる。
【００２６】
また、請求項２の発明によれば、液晶表示パネルの各種信号入力端子は、プリント基板とフレキシブル配線基板を介して通常ＡＣＦ圧着により電気的に接続されているため、ＶＣＯＭ配線抵抗やトランスファ電極による接続抵抗だけでなく、プリント基板と入力端子との間のＡＣＦ圧着部の抵抗をも考慮に入れた接続抵抗が大きい液晶表示装置を判別することができるようになる。
【００２７】
また、請求項３の発明によれば、自己診断手段は液晶表示パネルに設けられたドライバＩＣ内に内蔵されているため、単にドライバＩＣに対して自己診断切換信号を与えるのみで自己診断モードに切り換えられることができ、しかも、ＶＣＯＭ配線抵抗やトランスファ電極による接続抵抗だけでなく、ドライバＩＣとコモン配線間のＡＣＦ圧着部の抵抗をも考慮に入れた接続抵抗が大きい液晶表示装置を判別することができるようになる。
【００２８】
また、請求項４の発明によれば、通常トランスファ電極は液晶表示パネルの極力対角部となるように設けられているから、ドライバＩＣとして両端にそれぞれコモン配線と接続されるＶＣＯＭ信号出力端子を備えているものを使用すると、自己診断モード時には簡単に一方の端側のＶＣＯＭ信号出力端子を診断用ＶＣＯＭ信号出力端子とできるとともに他方の端側のＶＣＯＭ信号出力端子を他の少なくとも一つのコモン配線に現れた信号の入力端子とすることができるため、特に自己診断用に特別な配線を設ける必要がなくなる。
【００２９】
また、請求項５の発明によれば、液晶表示パネルのサイズないし形式により両コモン配線間の接続抵抗の閾値を適宜設定してドライバＩＣに記憶させることができるとともに、ドライバＩＣ内に診断結果が記憶されているため、液晶表示装置の製造工程の途中でこの診断結果を読み取ることにより自動的に診断結果が「不可」であるものをより分けることができるようになる。
【発明を実施するための最良の形態】
【００３０】
以下、本発明を実施するための最良の形態を図１〜図２を用いて詳細に説明するが、以下に述べた実施例は、本発明の技術思想を具体化するための液晶表示装置の一例を例示するものであって、本発明をこの実施例に特定することを意図するものではなく、本発明は特許請求の範囲に示した技術思想を逸脱することなく種々の変更を行ったものにも均しく適用し得るものである。なお、図１は、実施例の液晶表示装置の概略構成を示すブロック図であり、図２は図１の対向電極駆動回路部の概略構成を示すブロック図であり、図３〜図５に示した従来例の液晶表示装置１０Ａと同一の構成部分には同一の参照符号を付与して説明する。
【００３１】
この実施例の液晶表示装置１０は、図３〜図５に示した従来の液晶表示装置１０Ａと同様の構成を備えているが、ドライバＩＣの内部構成と液晶表示パネルの共通電極に接続されているコモン配線部分が相違している。
【００３２】
すなわち、この本実施例の液晶表示装置１０はドライバＩＣ１５及び液晶表示パネル３１を備えており、そのうちドライバＩＣ１５は、信号制御回路部３２、電源回路部３３、γ補正用階調電圧回路部３４、対向電極駆動回路部３５、データ線駆動回路部３６及びアドレス線駆動回路部３７を一体に備えており、また、液晶表示パネル３１の共通電極はそれぞれ異なるトランスファ電極を経て別々のコモン配線であるＶＣＯＭ１配線及びＶＣＯＭ２配線によりドライバＩＣ１５の対向電極駆動回路部３５に接続されている。なお、ここでいうそれぞれのトランスファ電極は必ずしも一つであることを意味するものではなく、複数であっても良い。
【００３３】
信号制御回路部３２は、図示しない入力インタフェースを介して、画像供給装置、例えば、携帯電話の画像作成部やコンピュータ、テレビジョン装置、ビデオ再生装置、ＤＶＤ（Digital Versatile Disk）再生装置等から送られてきたデータイネーブル信号ＤＥ、デジタル画素データＩＲＤ、ＩＧＤ、ＩＢＤ等の画像データ信号と、クロック信号ＤＯＴＣＬ、垂直同期信号ＶＳＹＮ、水平同期信号ＨＳＹＮ等の各種制御信号を取り込んでデジタル的に信号処理し、デジタルＲＧＢ出力信号ＤＲ、ＤＧ、ＤＢをデータ線駆動回路部３６へ供給し、クロックパルスＣＰＶを電源回路部３３、対向電極駆動回路部３５及びアドレス線駆動回路部３７へ供給するとともに、フレーム信号（スタートパルス）ＦＬＭもアドレス線駆動回路部３７へ供給する。
【００３４】
電源回路部３３は、供給された電源電圧ＶＩＮ（たとえば１２Ｖ）をもとに、液晶表示装置１０内で使用される各種の電圧、たとえば、信号制御回路部３２、対向電極駆動回路部３５、データ線駆動回路部３６及びアドレス線駆動回路部３７の駆動用電圧ＶＤＤ、階調電圧回路部３４へ供給する基準電圧Ｖ０、データ線駆動回路部３６を介して液晶表示パネル３１の列ライン３８に印加するための電圧ＶＧＥＮ、アドレス線駆動回路部３７を介して液晶表示パネル３１の行ライン３９に印加するための電圧ＶＧＨ及びＶＧＬを生成する。
【００３５】
階調電圧回路部３４は、電源回路部３３から供給された基準電圧Ｖ０を抵抗分圧することにより複数個の階調基準電圧ＶＧＭを作成してデータ線駆動回路部３６へ供給し、データ線駆動回路部３６は、これらの複数個の階調基準電圧ＶＧＭを内蔵されているＤＡ変換回路の基準電圧として利用することにより、デジタルＲＧＢ出力信号ＤＲ、ＤＧ、ＤＢを処理して液晶表示パネル３１の列ライン３８にγ補正されたアナログ画像データ信号を供給する。
【００３６】
また、対向電極駆動回路部３５は、図２に示すように、外部から入力される自己診断切換信号に対応して対向電極駆動回路部３５を自己診断モードと通常動作モードとに切換る診断ＳＷ部４０と、通常動作モード時に従来と同じＶＣＯＭ信号を発生するＶＣＯＭ信号作成部４１と、自己診断モード時に使用する診断用ＶＣＯＭ信号を発生する診断信号作成部４２と、外部から入力される診断閾値信号により予め設定されるＡＣＦ圧着部の抵抗も含む両コモン配線間の抵抗の閾値を記憶する閾値格納部４３と、診断用ＶＣＯＭ信号とＶＣＯＭ１端子４４に現れた信号とを比較して前記接続抵抗を算出する抵抗算出部４５と、前記抵抗算出部４５の出力と前記閾値格納部４３に記憶された接続抵抗の閾値とを対比して前記抵抗算出部４５の出力の大小を判定する抵抗比較部４６と、この抵抗比較部４６の出力を記憶し、外部からの要求に応じて外部に診断結果信号として出力する診断結果格納部４７とを備えている。
【００３７】
そして、診断ＳＷ部４０、ＶＣＯＭ信号作成部４１、閾値格納部４３、抵抗算出部４５、抵抗比較部４６、診断結果算出部４７、ＶＣＯＭ１端子４４及びＶＣＯＭ２端子４８は、それぞれインバータ４９、バッファ５０及び５１、３ステートゲート５２〜５４によって図２に示されているように接続されている。
【００３８】
すなわち、通常動作モード時は、診断ＳＷ部４０からＨレベルが出力され、３ステートゲート５３がＯＦＦ状態となり、３ステートゲート５２及び５４がＯＮ状態となるため、ＶＣＯＭ信号作成部４１で作成された従来と同じＶＣＯＭ信号は３ステートゲート５２及び５４を経てＶＣＯＭ１端子４４へ出力されると同時に３ステートゲート５２及びバッファ５１を経てＶＣＯＭ２端子４８にも出力され、このＶＣＯＭ信号は液晶表示パネル３１の別々のコモン配線であるＶＣＯＭ１配線及びＶＣＯＭ２配線を経て同時に共通電極へ印加される。
【００３９】
これに対し、自己診断モード時には、診断ＳＷ部４０からＬレベルが出力され、３ステートゲート５３がＯＮ状態となり、３ステートゲート５２及び５４がＯＦＦ状態となるため、ＶＣＯＭ信号作成部４１で作成された従来と同じＶＣＯＭ信号は３ステートゲート５２により阻止され、診断信号作成部４２で作成された診断用ＶＣＯＭ信号が３ステートゲート５３を経て抵抗算出部４５へ印加されるとともに、バッファ５１を経てＶＣＯＭ２端子４８へ出力される。この時、３ステートゲート５４はＯＦＦ状態となっているためＶＣＯＭ１端子４４には診断用ＶＣＯＭ信号は印加されない。
【００４０】
そして、ＶＣＯＭ２端子４８に出力された診断用ＶＣＯＭ２信号は、液晶表示パネル３１の一方のコモン配線であるＶＣＯＭ２配線を経て共通電極へ供給され、また、この共通電極は別のコモン配線であるＶＣＯＭ１配線を経てＶＣＯＭ１端子４４へ接続されており、このＶＣＯＭ１端子４４に現れた信号がバッファ５０を経て抵抗算出部４５へ入力されるようになっている。このＶＣＯＭ１端子４４に現れる信号は、ＶＣＯＭ２端子４８、ＡＣＦ圧着部、液晶表示パネル３１の一方のコモン配線であるＶＣＯＭ２配線、一方のトランスファ電極、共通電極、別のトランスファ電極、別のコモン配線であるＶＣＯＭ１配線、及びＡＣＦ圧着部を経てＶＣＯＭ１端子４４へ現れるから、これらの経路の一箇所にでも抵抗が大きい部分や断線があるとＶＣＯＭ１端子４４に現れる信号は診断用ＶＣＯＭ２信号が鈍った信号となる。そのため、抵抗算出部４５における出力は前記経路における抵抗値を表す値となるので、この値を予め閾値格納部４３に記憶させた閾値と比較し、前記経路における抵抗値が閾値よりも小さければ良品と判断し、また、閾値よりも大きければ不良品と判断し、その診断結果を診断結果格納部４７に記憶しておく。
【００４１】
そして、液晶表示装置の製造工程の途中で前記診断結果格納部４７に記憶されている診断結果を読み出せば、その液晶表示装置が良品であるか不良品であるかがわかるため、容易に不良品の液晶表示装置を判別することができるようになる。
【００４２】
なお、この実施例では液晶表示パネルにドライバＩＣ１５が載置されている液晶表示装置１０について説明したが、液晶表示パネルとは別の図示しない外部回路基板にドライバＩＣが載置されている液晶表示装置に対しても適用することができる。
【００４３】
また、この実施例では診断にかかわる信号を外部と直接入出力するように説明したが、ドライバ内部にレジスタを配置し、画像供給装置とドライバ１５の間を、例えばＣＰＵインタフェースのごとく、アドレスとデータ等で情報を交換するようにしてもよい。
【図面の簡単な説明】
【００４４】
【図１】図１は、実施例の液晶表示装置の概略構成を示すブロック図である。
【図２】図２は、図１の対向電極駆動回路部の概略構成を示すブロック図である。
【図３】図３は、携帯電話機用の小型の液晶表示装置の第１基板側を模式的に示す平面図である。
【図４】図４は、シール材やコンタクト材の配置を模式的に示す断面図である。
【図５】図５は、トランスファ電極と対向電極の接続状態を模式的に示す要部拡大図である。
【符号の説明】
【００４５】
１０          液晶表示装置
１５          ドライバＩＣ
３１          液晶表示パネル
３２          信号制御回路部
３３          電源回路部
３４          γ補正用階調電圧回路部
３５          対向電極駆動回路部
３６          データ線駆動回路部
３７          アドレス線駆動回路部
４０          診断ＳＷ部
４１          ＶＣＯＭ信号作成部
４２          診断信号作成部
４３          閾値格納部
４４          ＶＣＯＭ１端子
４５          抵抗算出部
４６          抵抗比較部
４７          診断結果格納部
４８          ＶＣＯＭ２端子
４９          インバータ
５０、５１    バッファ
５２〜５４    ３ステートゲート
【図１】
0004618034.tif 000002
【図２】
0004618034.tif 000003
【図３】
0004618034.tif 000004
【図４】
0004618034.tif 000005
【図５】
0004618034.tif 000006